(57)【要約】      （修正有）【課題】現象が発生する場所に調査専用の環境を構築することなく、無線端末が取得した長時間の情報を蓄積することができる無線通信システムの運用管理装置を提供する。【解決手段】回線制御装置１、複数の無線基地局４ａ，４ｂ、システムの運用状態を設定できる運用管理装置２、及び複数の無線端末３ａ，３ｂで構成される無線通信システムにおいて、運用管理装置２は、回線制御装置１、Ａ無線基地局４ａを介してＡ無線端末３ａから動作情報や障害情報を定期的に取得し保存する。これによって、長時間に亘るＡ無線端末３ａの動作情報や障害情報を容易に蓄積することが可能となる。【選択図】図１
2009177731.tif 000002
【特許請求の範囲】
【請求項１】
無線端末と、無線基地局と、前記無線端末と前記無線基地局との通話チャネルの接続制御を行う回線制御装置を含む無線通信システムに接続されることができ、前記無線通信システムの運用状態を管理する無線通信システムの運用管理装置であって、
前記回線制御装置から前記無線基地局を介して前記無線端末へ送信される下りパケットの少なくとも１フレームに指示情報を含めるとともに、
前記指示情報に基づいて、前記無線端末により取得され、該無線端末より送信される上りパケットの少なくとも１フレームに含められた前記無線端末情報を取得する
無線通信システムの運用管理装置。
【発明の詳細な説明】
【技術分野】
【０００１】
本発明は、無線端末が取得した情報を上位装置へ送信する無線通信システムの運用管理装置に関する。
【背景技術】
【０００２】
基地局無線装置や運用管理装置や回線制御装置といった上位の装置を経由して、複数の無線端末装置の間で通信することが行われている無線通信システムとしては、例えば、空港エリア内に存する航空機の安全やユーザ（使用者）の快適性を確保するという空港向けのマルチチャネルアクセス（ＭＣＡ：Ｍｕｌｔｉ  Ｃｈａｎｎｅｌ  Ａｃｃｅｓｓ）無線システムが存在しており、電波産業界（ＡＲＩＢ）により、空港内デジタル移動通信システム（ＡＲＩＢ  ＳＴＤ−Ｔ８７）として規格化されている（非特許文献１参照）。
【０００３】
このような技術によれば、複数の無線端末が取得した障害等の情報をログとして無線端末に記憶しておき、専用の外部端末に有線又は無線によって接続することで、ログ情報を取得している（例えば、特許文献１参照）。
【０００４】
【特許文献１】特開平１０−１０４２７７号公報
【非特許文献１】ＡＲＩＢ  ＳＴＤ−Ｔ８７、「空港内デジタル移動通信システム」、社団法人電波産業界
【発明の開示】
【発明が解決しようとする課題】
【０００５】
しかしながら、従来の無線通信システムでは、無線端末の情報保存容量が少ないため、長時間の動作情報や障害情報を取得するには、無線端末に対してパーソナルコンピュータ（パソコン、ＰＣ）等の外部装置を接続して容量アップを図ることが必要となる。そのため、現象が発生する場所（例えばフェージングが生じる場所）に、無線端末とパソコン等の外部装置を接続した調査専用のシステム環境に構築しなければならないので、システムを構築するために多くの費用と長い時間がかかってしまう。さらには、複雑なシステムを構築してから動作情報や障害情報の現象が再現されるのを待たなければならないので、通信システムの使い勝手が極めて悪い。
【０００６】
本発明は、以上のような問題点に鑑みてなされたものであり、現象が発生する場所に調査専用の環境を構築することなく、既存の無線端末が取得した情報を上位装置へ送信することにより、上位装置が取得した情報を保存することで無線端末側に大きな記憶容量を必要とすることなく、長時間の動作情報や障害情報を蓄積することができるような無線通信システムの運用管理装置を提供することを目的とする。
【課題を解決するための手段】
【０００７】
上述した課題を解決するため、この発明における運用管理装置は、無線端末と、無線基地局と、前記無線端末と前記無線基地局との通話チャネルの接続制御を行う回線制御装置を含む無線通信システムに接続されることができ、前記無線通信システムの運用状態を管理する運用管理装置であって、前記回線制御装置から前記無線基地局を介して前記無線端末へ送信される下りパケットの少なくとも１フレームに指示情報を含めるとともに、前記指示情報に基づいて、前記無線端末により取得され、該無線端末より送信される上りパケットの少なくとも１フレームに含められた前記無線端末情報を取得するものである。
【０００８】
また、実施の形態に示される無線通信システムは、無線端末と、無線基地局と、無線端末と無線基地局との通話チャネルの接続制御を行う回線制御装置と、システムの運用状態を設定する運用管理装置とによって構成される無線通信システムであって、運用管理装置は、複数のフレームに分割された下りパケットのうち、少なくとも１フレームに指示情報を含め、回線制御装置及び無線基地局を介して無線端末へ下りパケットを送信し、無線端末は、運用管理装置から取得した下りパケットのフレームに含まれる指示情報に基づいて、複数のフレームに分割された上りパケットのうち、少なくとも１フレームに自己が取得した無線端末情報を含め、無線基地局及び回線制御装置を介して運用管理装置へ上りパケットを送信するように構成されている。
【０００９】
このように、無線通信システム（例えばデジタル無線通信システム）において用いられているパケットの複数フレーム（例えば９フレーム）のうちの少なくとも１フレームを情報伝送用フレームに割り当てることにより、通話中であっても所望の情報を送信することが可能となる。したがって、上位装置である運用管理装置は、無線端末が取得した動作情報及び障害情報を無線端末の通話中でも取得して保存することができる。
【発明の効果】
【００１０】
本発明によれば、無線端末側に大きな記憶容量を必要とすることなく、長時間に亘る無線端末の情報を運用管理装置に蓄積することができる。
【発明を実施するための最良の形態】
【００１１】
先ず、理解を容易にするために、従来の無線通信システムと対比させながら本実施形態に係る無線通信システムの概要について説明する。従来、無線通信システムにおいて無線端末の動作情報や障害情報を取得するには、無線端末に設けられた記憶媒体に上記の動作情報や障害情報を記憶させることによって実現している。
【００１２】
ところが、無線端末に設けられている記憶媒体の記憶容量は小さいため、一定期間ごとに保守用のパソコンや所定の外部装置を接続し、動作情報や障害情報を取得する必要がある。さらには、無線端末における障害等の不具合情報の調査を行うためには、保守用の外部装置と無線端末を接続して調査専用の環境を構築し、現象が再現するのを待つ必要がある。
【００１３】
本実施形態の無線通信システムでは、このような問題を解決するため、９フレーム存在するパケットのうち、1フレームを情報送信指示用フレームとして割り当て、運用管理装置からの指示情報として、例えば定期的（または周期的）に無線端末に送信する。これを受信した無線端末は、自己の動作情報や障害情報を端末情報として運用管理装置へ送信する。運用管理装置では、こうして送られた無線端末の動作情報や障害情報の端末情報を管理情報として取得する。
【００１４】
次に、本実施形態の無線通信システムについて詳細に説明する。図１は、本実施の形態に係る無線通信システムの構成図である。先ず、本発明における無線通信システムは、複数の無線端末（Ａ無線端末、Ｂ無線端末）３ａ，３ｂと、複数の無線回線区間をそれぞれ制御する複数の無線基地局（Ａ無線基地局、Ｂ無線基地局）４ａ、４ｂと、各無線端末３ａ、３ｂの通話チャネル（Ａ通話チャネル、Ｂ通話チャネル）７ａ，７ｂの接続を制御する回線制御装置１と、システムの運用状態を設定するための運用管理装置（本発明の運用管理装置）２とによって構成されている。
【００１５】
そして、Ａ通信ゾーン６ａにおいては、回線制御装置１とＡ無線基地局４ａとがＡアプローチ線５ａで接続され、さらに、Ａ無線基地局４ａとＡ無線端末３ａとがＡ通信チャネル７ａで接続されて一つの通信エリアを構成している。同様にして、Ｂ通信ゾーン６ｂにおいては、回線制御装置１とＢ無線基地局４ｂとがＢアプローチ線５ｂで接続され、さらに、Ｂ無線基地局４ｂとＢ無線端末３ｂとがＢ通信チャネル７ｂで接続されて他の通信エリアを構成している。図１では、無線通信システムがＡ通信ゾーン６ａとＢ通信ゾーン６ｂの二つの通信エリアで構成されているが、一般的にはｎ個の通信ゾーンのエリアで構成されている。
【００１６】
このように構成された無線通信システムにおいて、Ａ通信ゾーン６ａのＡ無線端末３ａが取得した動作情報や障害情報は、Ａ無線基地局４ａ及び回線制御装置１を介して運用管理装置２へ送信される。同様にして、Ｂ通信ゾーン６ｂのＢ無線端末３ｂが取得した動作情報や障害情報は、Ｂ無線基地局４ｂ及び回線制御装置１を介して運用管理装置２へ送信される。
【００１７】
このような無線通信システムの構成により、現象が発生する場所に調査専用の環境を構築することなく、Ａ無線端末３ａ（または、Ｂ無線端末３ｂ）が取得した情報は、Ａ無線基地局４ａ（または、Ｂ無線基地局４ｂ）及び回線制御装置１を介して運用管理装置２へ送信されるので、運用管理装置２は、それらの取得情報を保存することにより、Ａ無線端末３ａ（または、Ｂ無線端末３ｂ）の長時間の動作情報や障害情報を蓄積することができる。従って、Ａ無線端末３ａ（または、Ｂ無線端末３ｂ）は記憶容量の小さいメモリであっても構わない。
【００１８】
図２は、図１に示す無線通信システムにおける無線回線のフレーム割付けを示す概念図であり、（ａ）は、無線基地局の下り通話チャネル、（ｂ）は無線端末の上り通話チャネルを示している。尚、Ａ通信ゾーン６ａとＢ通信ゾーン６ｂは同一の動作を行うので、以下の説明では、図２を参照しながらＡ通信ゾーン６ａの動作について説明する。
【００１９】
図２において、Ａ無線基地局４ａの下り通話チャネルのパケット信号は９フレームからなり、フレーム１からフレーム８までが通話音声信号であり、最後のフレーム９が指示情報である。また、Ａ無線端末３ａの上り通話チャネルのパケット信号も９フレームからなり、フレーム１からフレーム８までが通話音声信号であり、最後のフレーム９が取得情報である。
【００２０】
図１において、上位装置である運用管理装置２からの情報送信指示（つまり、指示情報）は、回線制御装置１、Ａアプローチ線５ａ、Ａ無線基地局４ａ、及びＡ通話チャネル７ａを介してＡ無線端末３ａへ通知（送信）される。
【００２１】
このとき、運用管理装置２からの情報送信指示は、送信対象となる無線端末情報を付随しているので、回線制御装置１は、送信対象となる無線端末（つまり、Ａ無線端末３ａ）が在圏する無線基地局（つまり、Ａ無線基地局４ａ）に対して該当する情報送信指示を通知（送信）する。
【００２２】
運用管理装置２から情報送信指示を通知（送信）されたＡ無線基地局４ａは、受信した下りチャネルの９フレームの中に含まれる情報送信指示（つまり、指示情報）を蓄積し、送信対象の無線端末情報を付随した情報送信指示（指示情報）を９フレーム毎にＡ通話チャネル経由でＡ無線端末３ａへ送信する。
【００２３】
情報送信指示（指示情報）を受信したＡ無線端末３ａは、その指示情報に付随する無線端末情報が自無線端末宛である場合は、動作情報や障害情報を９フレームの中の当該フレームによって取得情報としてＡ無線基地局４ａへ送信する。
【００２４】
すると、Ａ無線基地局４ａは、Ａ無線端末３ａから受信した動作情報や障害情報等の取得情報を、Ａアプローチ線５及び回線制御装置１を介して運用管理装置２へ通知する。このとき、Ａ無線端末３ａの動作情報や障害情報（つまり、取得情報）を通知された運用管理装置２は、受信した取得情報を自己のメモリに保存することにより、Ａ無線端末３ａの動作情報や障害情報（つまり、取得情報）を蓄積する。
【００２５】
これによって、Ａ無線端末３ａの受信劣化により、Ａ無線端末３ａが、Ａ無線基地局４ａのＡ通信ゾーン６ａから例えばＢ無線基地局４ａのＢ通信ゾーン６ｂへ移行した場合は、Ａ無線端末３ａは移行先のＢ無線基地局４ｂにおいて位置登録情報を送信し、回線制御装置１に対して在圏する無線基地局が変わったことを通知する。
【００２６】
また、回線制御装置１は、通知された位置登録情報によって該当する無線基地局（Ｂ無線基地局４ｂ）に対して情報送信指示（指示情報）を通知するとともに、移行前のＡ無線基地局４ａに対して情報送信指示（指示情報）の削除を行う。
【００２７】
以上説明したように、本実施形態の無線通信システムによれば、回線制御装置１、複数の無線基地局４ａ，４ｂ、システムの運用状態を設定できる運用管理装置２、及び複数の無線端末３ａ，３ｂで構成される無線通信システムにおいて、例えば、Ａ無線基地局４ａからの指示でＡ無線端末３ａから動作情報や障害情報（つまり、取得情報）を無線回線に送信させる。
【００２８】
そして、それらの取得情報をＡ無線基地局４ａから運用管理装置２へ通知し、その運用管理装置２で保存させる。これによって、長時間に亘るＡ無線端末３ａの動作情報や障害情報（つまり、取得情報）を容易に蓄積することが可能となる。この情報取得動作は定期的に実行することができる。したがって、従来の無線通信システムのように、無線端末における長時間の動作情報や障害情報を蓄積するために専用のシステム環境を設ける必要がない。
【図面の簡単な説明】
【００２９】
【図１】本発明に係る無線通信システムの構成図である。
【図２】図１に示す無線通信システムにおける無線回線のフレーム割付けを示す概念図であり、（ａ）は、無線基地局の下り通話チャネル、（ｂ）は無線端末の上り通話チャネルである。
【符号の説明】
【００３０】
１  回線制御装置、２  運用管理装置、３ａ  Ａ無線端末、３ｂ  Ｂ無線端末、４ａ  Ａ無線基地局、４ｂ  Ｂ無線基地局、５ａ  Ａアプローチ線、５ｂ  Ｂアプローチ線、６ａ  Ａ通信ゾーン、６ｂ  Ｂ通信ゾーン、７ａ  Ａ通話チャネル、７ｂ  Ｂ通話チャネル。
【図１】
2009177731.tif 000003
【図２】
2009177731.tif 000004